(57)【要約】【課題】楽曲部分の終端位置を検出することにより、録音途中で楽曲の途切れがないようにする。【解決手段】音声記録再生装置は、デジタル音声データの周波数解析を行い、楽曲部分の開始および終端位置を検出する楽曲検出手段２１と、仮終端位置記憶手段２２と、仮記録消去手段２３と、を備え、楽曲検出手段２１は、基準値と、それより高い第１の閾値と、それよりも低い第２の閾値とを有し、デジタル音楽データの周波数を解析して得られた解析値が第１の閾値より高いことを検出すると記録を開始し、第２の閾値より低いことを検出すると楽曲部分の終端位置と判別し、仮終端位置記憶手段２２に仮終端位置を記憶して、所定時間周波数監視と楽曲部分の記録を継続し、その間に解析値が第１の閾値より高いことを検出しなければ、仮記録消去手段２３は仮終端位置以降の記録を削除する。【選択図】図１
2010027115.tif 000002
【特許請求の範囲】
【請求項１】
受信した放送を復調して得られた音声データをデジタル音声データとして記録部に記録する音楽記録再生装置において、
前記音声記録再生装置は、前記デジタル音声データの周波数解析を行う楽曲検出手段と、仮終端位置記憶手段と、仮記録消去手段と、制御手段と、を備え、
前記楽曲検出手段は、前記周波数解析により得た解析値と対比させる基準値と、該基準値より所定値高い第１の閾値と、前記基準値より所定値低い第２の閾値とを有しており、
前記制御手段は、前記楽曲検出手段により前記解析値が前記第１の閾値より高いことが検出されると、該検出以降の前記デジタル音声データを前記記録部に記録を開始し、前記楽曲検出手段により前記解析値が前記第２の閾値より低いことが検出されると、前記記録を継続し、前記第２の閾値より低いことが検出された位置を前記仮終端位置記憶手段に記憶し、
前記仮記録消去手段は、前記楽曲検出手段が前記第２の閾値より低いことを検出してから所定の時間内に解析値が前記第１の閾値より高くなったことを検出しないとき、前記記録部に記録されたデジタル音声データのうち前記仮終端位置記憶手段に記憶された仮終端位置以降に記録されたデジタル音声データを削除することを特徴とする音楽記録再生装置。
【請求項２】
前記制御手段は、前記楽曲検出手段により前記所定の時間内に解析値が前記第１の閾値より高くなったことが検出されると、前記仮終端位置記憶手段に記憶した仮終端位置を消去し、前記記録を継続することを特徴とする請求項１に記載の音楽記録再生装置。
【発明の詳細な説明】
【技術分野】
【０００１】
本発明は、アナログ放送やデジタル放送に対応したテレビジョン放送受信機能、ＡＭ放送やＦＭ放送に対応したラジオ放送受信機能などを持ち、音楽コンテンツを受信して記録再生することができる音楽記録再生装置に関するものであり、特に、音楽コンテンツを含む放送を受信してハーディスクからなる記憶部に音楽コンテンツを記録することができる音楽記録再生装置に関するものである。
【背景技術】
【０００２】
最近ではナビゲーション装置、音楽プレーヤー、ＤＶＤプレーヤー、アナログ放送やデジタル放送に対応したテレビジョン受信機など各種の電子装置が小型化され、携帯可能な装置として、あるいは車載用の装置として提供されている。特に車載用の装置としては、上記の各種機能を複合して備えた電子装置も提供されている。
【０００３】
車載用のナビゲーション装置は、例えば、下記の特許文献１（特開２００３−１３０６６９号公報）に開示されているように、所要のリンクコストを設定した地図データを用い、各リンクに設定されたリンクコストに基づいて、出発地から目的地までのリンクコストの累計が最少になる経路を探索して案内するものである。
【０００４】
また、車載用のナビゲーション装置においては、アナログ放送やデジタル放送に対応したテレビジョン放送受信機能やＡＭ放送やＦＭ放送に対応したラジオ放送受信機能を併せ持った装置が数多く提供されている。
【０００５】
このようなナビゲーション装置では、ハードディスク部に経路探索、地図表示のための地図データが記憶される。最近ではハードディスク部の記憶容量が飛躍的に増大したことから、地図データを記憶したハードディスク部の一部を用いて受信した放送の音楽データなどのコンテンツを記憶できるようにしたナビゲーション装置も提案されている。
【０００６】
通常、ＣＤやＤＶＤなどに記録され音楽コンテンツを再生しながら再生装置内の記憶部に記録し、あるいは、放送を受信してその中に含まれる音楽コンテンツを放送受信装置内の記録部に記録したりする場合、再生中の音楽コンテンツのデータや放送受信部で受信した放送信号をデジタルデータに変換して音楽抽出部によって音楽データのみを抽出しながらＲＡＭに一時記録し、１つの楽曲の記録が完了すると、ハードディスクからなる記憶部にその楽曲の音楽データを記録するようにされる。
【０００７】
例えば、下記の特許文献２（特開２００６−２７７７９２号公報）には、音楽データの圧縮処理と再生処理とを並行して実行する際に、圧縮処理された圧縮音楽データを一時的に順次ＤＳＰ用ワークＲＡＭ１６に記憶し、このＤＳＰ用ワークＲＡＭに記憶されている圧縮音楽データに基づいて再生処理を実行するとともに、１曲分の音楽データの圧縮処理が完了したときに、ＤＳＰ用ワークＲＡＭに記憶されている圧縮音楽データをハードディスクドライブに転送して格納するようにした情報記録再生装置が開示されている。
【０００８】
一方、ラジオ放送を受信し、音楽コンテンツの楽曲部分を記録するようにした録音再生装置は、例えば、下記の特許文献３（特開２００６−９９８５４号公報）にラジオ放送録音再生装置の発明として開示されている。このラジオ放送録音再生装置は、受信した放送電波の周波数を解析して音楽コンテンツの部分を抽出して記録するように構成されたものである。
【０００９】
また、下記の特許文献４（特開２００８−４７２０３号公報）には、複数の楽曲コンテンツから高品質な楽曲コンテンツを作成可能な楽曲結合装置が開示されている。この楽曲結合装置は、複数の楽曲コンテンツの少なくとも１つから特徴量を算出し、当該特徴量が閾値を超えた時点をカット点として検出するカット点検出部と、当該カット点を用いて、各楽曲コンテンツを複数のセグメントに分割するセグメント化部と、各楽曲コンテンツの各セグメントの品質を判定する品質判定部と、各楽曲コンテンツにおいて時間的位置の等しい各セグメント間で、最も品質の高いセグメントを選択するセグメント選択部と、当該選択されたセグメントを順次結合して１つの楽曲コンテンツを得るセグメント結合部とから構成されたものである。
【特許文献１】特開２００３−１３０６６９号公報
【特許文献２】特開２００６−２７７７９２号公報
【特許文献３】特開２００６−９９８５４号公報
【特許文献４】特開２００８−４７２０３号公報
【発明の開示】
【発明が解決しようとする課題】
【００１０】
ところで、ＦＭ放送等の放送を受信しながら、音楽部分を楽曲毎にハードディスクなどの記録装置に録音して再生しようとする場合、楽曲の区切り、特に１つの楽曲の終端を検出することが必要になる。楽曲の終端が正しく検出できれば、１つの楽曲を開始から終了までを正しく録音することができる。
【００１１】
しかしながら、楽曲の終端が正しく検出できないと、楽曲の途中で録音が終了してしまうことになる。上記特許文献３や特許文献４に開示された技術を適用しても、このような問題点を解消することはできない。
【００１２】
本願の発明者は上記の問題点を解消すべく種々検討を重ねた結果、音楽コンテンツを含む放送を受信して記憶部に音楽コンテンツを記録することができる音楽記録再生装置において、復調した音声信号をデジタル変換してその周波数特性を解析し、解析により得た解析値が所定の基準レベルを中心とする所定幅の閾値以下になったら楽曲の終端位置と判定し、さらに終端位置と判定した後、所定の時間録音を継続し、その時間内に解析値が所定幅の閾値を上回らなければ、楽曲の終端位置検出を確定し、継続して録音した部分を削除するようになせば上記の問題点を解消し得ることに想到して本発明を完成するに至ったものである。
【００１３】
すなわち、本発明は、音楽コンテンツを含む放送を受信してハーディスクからなる記録部に音楽コンテンツを記録することができる音楽記録再生装置において、楽曲の終端を正確に検出することにより、録音途中で楽曲の途切れがないようにすることができる音楽記録再生装置を提供することを目的とするものである。
【課題を解決するための手段】
【００１４】
前記課題を解決するために、本願の請求項１にかかる発明は、受信した放送を復調して得られた音声データをデジタル音声データとして記録部に記録する音楽記録再生装置において、
前記音声記録再生装置は、前記デジタル音声データの周波数解析を行う楽曲検出手段と、仮終端位置記憶手段と、仮記録消去手段と、制御手段と、を備え、
前記楽曲検出手段は、前記周波数解析により得た解析値と対比させる基準値と、該基準値より所定値高い第１の閾値と、前記基準値より所定値低い第２の閾値とを有しており、
前記制御手段は、前記楽曲検出手段により前記解析値が前記第１の閾値より高いことが検出されると、該検出以降の前記デジタル音声データを前記記録部に記録を開始し、前記楽曲検出手段により前記解析値が前記第２の閾値より低いことが検出されると、前記記録を継続し、前記第２の閾値より低いことが検出された位置を前記仮終端位置記憶手段に記憶し、
前記仮記録消去手段は、前記楽曲検出手段が前記第２の閾値より低いことを検出してから所定の時間内に解析値が前記第１の閾値より高くなったことを検出しないとき、前記記録部に記録されたデジタル音声データのうち前記仮終端位置記憶手段に記憶された仮終端位置以降に記録されたデジタル音声データを削除することを特徴とする。
【００１５】
また、本願の請求項２にかかる発明は、請求項１にかかる発明において、
前記制御手段は、前記楽曲検出手段により前記所定の時間内に解析値が前記第１の閾値より高くなったことが検出されると、前記仮終端位置記憶手段に記憶した仮終端位置を消去し、前記記録を継続することを特徴とする。
【発明の効果】
【００１６】
請求項１にかかる発明においては、
前記制御手段は、前記楽曲検出手段により前記解析値が前記第１の閾値より高いことが検出されると、該検出以降の前記デジタル音声データを前記記録部に記録を開始し、前記楽曲検出手段により前記解析値が前記第２の閾値より低いことが検出されると、前記記録を継続し、前記第２の閾値より低いことが検出された位置を前記仮終端位置記憶手段に記憶し、
前記仮記録消去手段は、前記楽曲検出手段が前記第２の閾値より低いことを検出してから所定の時間内に解析値が前記第１の閾値より高くなったことを検出しないとき、前記記録部に記録されたデジタル音声データのうち前記仮終端位置記憶手段に記憶された仮終端位置以降に記録されたデジタル音声データを削除する。
【００１７】
かかる構成によれば、解析値が所定の基準値以下になったら楽曲の終端位置と判定し、所定の時間録音を継続し、その時間内に基準値を上回らなければ、楽曲の終端位置検出を確定し、継続して録音した部分を削除するので、録音途中で楽曲の途切れがないようにすることができる
また、請求項２にかかる発明においては、請求項１にかかる発明において、
前記制御手段は、前記楽曲検出手段により前記所定の時間内に解析値が前記第１の閾値より高くなったことが検出されると、前記仮終端位置記憶手段に記憶した仮終端位置を消去し、前記記録を継続する。
【００１８】
かかる構成によれば、楽曲部分において一時的に解析値が閾値を下回って終端位置を検出しても、一定時間記録を継続しているので終端位置検出が誤っていた場合であっても楽曲部分の記録を途切らせることなく、次に正しい終端位置検出がなされるまで記録することができるようになる。
【発明を実施するための最良の形態】
【００１９】
以下、本発明の具体例を実施例及び図面を用いて詳細に説明する。但し、以下に示す実施例は、本発明の技術思想を具体化するための音楽記録再生装置を例示するものであって、本発明をこの音楽記録再生装置に特定することを意図するものではなく、特許請求の範囲に含まれるその他の実施形態の音楽記録再生装置にも等しく適用し得るものである。
【実施例】
【００２０】
図１は本発明の実施例にかかる音楽記録再生装置１の詳細な構成を示すブロック図である。この音楽記録再生装置は、車載用のナビゲーション装置などの機器に適用される複合的な電子装置であってもよい。この場合、音楽記録再生装置１は、自動車等の車両のダッシュボード上に載置されることにより車載用として使用されるだけでなく、車両から取り外されユーザが携帯し使用できるタイプのものであってもよい。
【００２１】
音楽記録再生装置１は、ＣＰＵ１０、ＤＳＰ１１、ＲＯＭ，ＲＡＭなどから構成されるメモリ１２、音楽などのデータを記憶する記録部１３、チューナ１４、Ａ／Ｄ（アナログ／デジタル）変換器１５、符号化変換器１６、Ｄ／Ａ（デジタル／アナログ）変換器１７、スピーカ１８、を備えて構成されている。
【００２２】
ＣＰＵ１０は、音楽記録再生装置１全体の制御や各種演算処理を実行する。
【００２３】
ＤＳＰ（Digital  Signal  Processor）１１は、ＣＰＵ１０による制御の下、デジタル音声データの周波数解析を行い楽曲部分の判別を行う機能を有する処理手段であり、楽曲検出手段２１、仮終端位置記憶手段２２、仮記憶消去手段２３を備えている。なお、楽曲検出手段２１および仮記録消去手段２３は、ＤＳＰ１１の演算処理により実現されるソフトウェア機能であり、仮終端位置記憶手段２２は、メモリ１２に設けられたＲＡＭを用いてもよく、またＤＳＰ１１内に専用の記憶部を別途設けた構成としてもよい。
【００２４】
メモリ１２は、ＣＰＵ１０およびＤＳＰ１１で実行されるプログラムを記憶するとともに、ＣＰＵ１０およびＤＳＰ１１のプログラム実行中に作業領域として利用される。
【００２５】
記録部１３はＨＤＤ（ハードディスクドライブ）やＳＤカードなどのデジタルデータ記憶手段から構成されている。
【００２６】
図示していないアンテナ、放送受信機により受信された放送信号は、チューナ１４で復調され、音声信号に変換される。チューナ１４で変換された音声信号はＡ／Ｄ（アナログ／デジタル）変換器１５でデジタル音声データに変換され、符号化変換器１６で符号化音声データに変換される。符号化変換器１６は、例えば、ＭＰ３変換器などを用いることができ、デジタル音声データを圧縮符号化して符号化音声データを得るエンコーダの機能と、エンコードされた符号化音声データを復号化するデコーダの機能を有するものである。
【００２７】
符号化変換器１６でエンコードされた符号化音声データはＨＤＤやＳＤなどの記録部１３に記録される。再生時には、記録部１３から読み出された符号化音声データが符号化変換器１６によりデジタル音声データに復号化され、さらにＤ／Ａ（デジタル／アナログ）変換器１７でアナログ音声信号に変換されたのち、スピーカ１８を介して出力される。
【００２８】
このようにして、受信した放送が音楽の楽曲である場合、ＨＤＤやＳＤなどの記録部１３に記録することができる。なお、楽曲を記録する際、符号化変換器１６で符号化された符号化音声データをメモリ１２に一旦記録し、一曲すべてのデータを記録し終えた時点で記録部１３へデータを移すこともできる。
【００２９】
音楽の楽曲部分は楽曲検出手段２１が、デジタル音声データの周波数解析を行い後述する方法で判別する。
【００３０】
一般に人の話し声はあまり周波数が高くなく、これに比較して音楽は周波数が高い。本願はこの点に着目し、楽曲検出手段２１に、デジタル音声データの周波数を解析することで得られる解析値と比較する基準値と、基準値を中心に一定の幅で基準値より高い閾値１と、一定の幅で基準値より低い閾値２とを設けておき、デジタル音楽データの周波数を解析して得た解析値が、閾値１より高い値であったら楽曲部分と判別し、閾値２より低い値であったら会話やＤＪ（ディスクジョッキー）であると判別することで楽曲部分の判別を行うものである。
【００３１】
基準値や閾値１、２は、音楽と会話の周波数特性の類似性を示す尤度関数に基づいて設定することができ、メモリ１２にいくつかのパターンを記憶させておくことでより最適な終端判定が行える。
【００３２】
図２は、基準値（Ｓ）、閾値１（Ｘ）、閾値２（Ｙ）による楽曲部分と会話部分の判別の概念を示す図である。
【００３３】
図２において、横軸は時間を示し、縦軸はデジタル音楽データの周波数を解析して得られた解析値を示す。閾値１（Ｘ）よりも解析値が高い部分である「ａ」や「ｃ」の部分は楽曲と判別でき、閾値（Ｙ）よりも解析値が低い部分である「ｂ」や「ｄ」の部分は会話やＤＪと判別できる。
【００３４】
楽曲検出手段２１は、Ａ／Ｄ変換器１５により変換されたデジタル音声データを常時監視し、図２に示す閾値を用いて、デジタル音楽データを解析して得られた解析値が閾値１（Ｘ）よりも高くなった地点を楽曲の開始位置と判別し、デジタル音声データ上の開始位置を特定する。また、解析値が閾値レベル２（Ｙ）よりも低くなった地点を楽曲の終端位置と判別し、デジタル音声データ上の終端位置を特定する。楽曲検出手段２１はこのようにして楽曲部分を検出し、ＣＰＵ１０は、楽曲検出手段２１により検出された楽曲部分の開始位置と終端位置に基づいて符号化変換器１６により符号化された符号化音声データを記録部１３に記録する。
【００３５】
ところで、楽曲部分において一時的に解析値が閾値２（Ｙ）を下回ることがある。例えば、楽曲部分に無音の時間があると、その部分において解析値が閾値２（Ｙ）を下回ることがある。図３は、この様子を示しており、楽曲部分「ｃ」において「Ｎ」で示すように解析値が閾値レベル２（Ｙ）を一時的に下回り、直ぐに閾値１（Ｘ）よりも高い状態に戻る。
【００３６】
従って、単に閾値１（Ｘ）と閾値２（Ｙ）により楽曲部分を判別すると、図３の「Ｎ」のように一時的に閾値２（Ｙ）を解析値が下回った部分を、楽曲部分の終端位置と判別してしまい、楽曲の記録が途中で途切れてしまう恐れがある。音楽番組においては、楽曲と楽曲の間に次の楽曲の紹介などのトーク部分（ＤＪ部分）が入ることが多いが、楽曲途中の無音部分はたかだか数秒程度のものであり、トーク部分はそれよりも長い。よって、楽曲の終端位置を検出したのち数秒間、周波数解析を継続することで、正しい終端位置検出か否かを判別することができる。
【００３７】
そこで、本発明にかかる音楽記録再生装置において、ＣＰＵ１０は、楽曲検出手段２１が、解析値が閾値１（Ｘ）より高くなったことを検出して楽曲部分の開始位置を検出したのち、最初に解析値が閾値２（Ｙ）よりも低くなった地点を検出したとき、この地点を楽曲部分の仮の終端位置（デジタル音声データ上の位置）として仮終端位置記憶手段２２に記憶する。
【００３８】
そして、楽曲検出手段２１により仮の終端位置が検出されてからも、一定の時間だけ楽曲部分のデジタル音声データ（符号化変換器１６により符号化された符号化音声データ）の記録を継続する。この間の楽曲部分の記録を仮記憶ということとする。一定の時間の間、解析値が閾値２（Ｙ）より低い状態のままであれば、楽曲検出手段２１が検出した楽曲部分の終端位置が正しいものとして確定する。そして仮記録消去手段２３は、仮の終端位置検出以降の記録、すなわち、記録部１３に記録された符号化音声データのうち、仮終端位置記憶部２２に記憶された仮終端位置以降に記録された符号化音声データを消去する。
【００３９】
なお、楽曲検出手段２１により検出された楽曲部分の開始位置から楽曲部分の終端位置までのデジタル音声データ、さらに終端位置から一定の時間までのデジタル音声データをメモリ１２に一旦記録しておき、楽曲検出手段２１により検出された終端位置が正しかった場合は、メモリ１２に記録されたデジタル音声データのうち、楽曲検出手段２１により検出された終端位置以降に記録されたデジタル音声データを削除し、残りのデータを符号化変換器１６により符号化して記録部１３に記録する形態としてもよい。
【００４０】
一定の時間の間に、楽曲検出手段２１が、解析値が閾値１（Ｘ）より高い状態に戻ったことを検出すれば、楽曲部分が継続していることを意味し、終端位置検出が正しくなかったことになり、ＣＰＵ１０は、仮終端位置記憶手段２２に記憶した仮終端位置を消去し、楽曲部分の記録を継続したまま次に楽曲検出手段２１が楽曲部分の終端位置を検出するのを待つ。
【００４１】
このようにすれば、楽曲部分において一時的に解析値が閾値２（Ｙ）を下回り、楽曲部分の終端位置を検出しても、一定時間記録を継続しているので終端位置検出が誤っていた場合であっても楽曲部分の記録を途切らせることなく、次に正しい終端位置検出がなされるまで記録することができるようになる。
【００４２】
図４は、本発明の実施例にかかる音楽記録再生装置における音楽データの記録処理の手順を示すフローチャートである。
【００４３】
なお、図４のフローチャートはＣＰＵ１０による制御の下に行われる処理手順である。
【００４４】
ステップＳ１０１の処理でチューナ１４は放送信号を受信し、受信した放送信号を音声信号に復調する。チューナ１４で復調された音声信号はステップＳ２の処理でＡ／Ｄ変換器１５によりデジタル音声データに変換される。
【００４５】
一方、ＤＳＰ１１の楽曲検出手段２１は、Ａ／Ｄ変換器１５により変換されたデジタル音声データを常時監視し、ステップＳ１０３の処理で、デジタル音声データの周波数を解析し、楽曲部分の解析を開始する。
【００４６】
ステップＳ１０４の処理で楽曲検出手段２１は、デジタル音楽データを解析して得られた解析値が閾値１（Ｘ）よりも高くなった位置を楽曲部分の開始位置として検出する（図２、図３参照）。楽曲部分の開始位置が検出されなければステップＳ１０４の処理を繰り返す。楽曲部分の開始位置が検出されると、ステップＳ１０５の処理に進み、楽曲検出手段２１により検出された楽曲部分の開始位置から、符号化変換器１６においてデジタル音声データが符号化音声データに変換され、変換された符号化音声データを順に記録部１３に記録を開始する。
【００４７】
次いで、楽曲検出手段２１は、ステップＳ１０６の処理で周波数レベルが閾値２（Ｙ）よりも低くなったか否かを判別し、低くなった位置を楽曲部分の終端位置として検出する（図２、図３参照）。終端位置を検出しなければステップＳ１０５の処理を繰り返し、楽曲部分の記録を継続する。
【００４８】
ステップＳ１０６の処理において楽曲検出手段２１が楽曲部分の終端位置を検出すると、ステップＳ１０７の処理でデジタル音声データ上の終端位置を仮終端位置として特定し、仮終端位置記憶手段２２に記憶し、その後も楽曲部分の記録を一定の時間継続する。ステップＳ１０８では楽曲検出手段２１が一定の時間解析値を監視し、ステップＳ１０６の処理において検出した終端が正しかったか否かを判別する。
【００４９】
この判別は先に説明したように一定の時間の間に、解析値が閾値１（Ｘ）より高い状態に戻れば、楽曲部分が継続していることを意味し、ステップＳ１０６の処理における終端位置検出が正しくなかったことになり、仮終端位置記憶手段２２に記憶した仮終端位置を消去し、楽曲部分の記録を継続し、ステップＳ１０６の処理に戻り、次に楽曲検出手段２１が楽曲部分の終端位置を検出するのを待つ。
【００５０】
ステップＳ１０８の処理において楽曲の終端位置検出が正しかったものと判別されると、ステップＳ１０９の処理に進み、楽曲部分の記録を終了し、仮記録消去手段２３は、ステップＳ１１０の処理において、仮終端位置記憶手段２２に記憶された仮終端位置に基づいて仮終端位置以降に記録された符号化音声データを記録部１３から削除する。この処理により楽曲部分の開始位置から、正しい終端位置までの記録が行われる。
【００５１】
以上説明したように、本発明によれば、楽曲コンテンツを含む放送を受信してハーディスクからなる記録部に音楽コンテンツを記録することができる音楽記録再生装置において、正確に楽曲部分の終端位置を検出することにより、録音途中で楽曲部分の途切れがないようにすることができるようになる。
【００５２】
なお、上記実施例ではアナログ放送を受信し、受信したアナログ放送の音声データをＡ／Ｄ変換して楽曲部分の終端位置を検出するようにしたが、これがデジタル放送での音声データの場合であっても適用できる。
【００５３】
デジタル放送の場合は、Ａ／Ｄ変換器１５の変わりに所定の形式で符号化された音声データを復号する復号装置を備え、受信した音声データをこの復号装置で復号し、復号した音声データの周波数を解析することで楽曲部分の終端を検出することができる。
【図面の簡単な説明】
【００５４】
【図１】本発明の実施例にかかる音楽記録再生装置の詳細な構成を示すブロック図である。
【図２】解析値と比較する閾値を設定し、楽曲部分と会話部分を判別する概念を説明するための概念図である。
【図３】本発明の実施例にかかる音楽記録再生装置において、楽曲部分の終端を検出する概念を説明するための概念図である。
【図４】本発明の実施例にかかる音楽記録再生装置の楽曲記録の手順を示すフローチャートである。
【符号の説明】
【００５５】
１・・・・・音楽記録再生装置
１０・・・・ＣＰＵ
１１・・・・ＤＳＰ
１２・・・・メモリ
１３・・・・記録部
１４・・・・チューナ
１５・・・・Ａ／Ｄ変換器
１６・・・・符号化変換器
１７・・・・Ｄ／Ａ変換器
１８・・・・スピーカ
２１・・・・楽曲検出手段
２２・・・・仮終端位置記憶手段
２３・・・・仮記録消去手段
【図１】
2010027115.tif 000003
【図２】
2010027115.tif 000004
【図３】
2010027115.tif 000005
【図４】
2010027115.tif 000006